(57)【要約】【課題】テーピングテープの使用形態を店頭で簡単に展示することができ、組立および分解が簡単な商品展示具を提供する。【解決手段】１枚のシート体を折り曲げて形成される展示具本体２を備え、展示具本体２は、腕や脚などを模倣して円筒状に形成された一対の肢部１０と、体の関節を模倣した関節部２０とを有し、各肢部１０が関節部２０を介して連結されており、関節部２０から肢部１０に沿ってテーピング用具５を貼着する。【選択図】  図５
2008012208.tif 000002
【特許請求の範囲】
【請求項１】
身体の一部に貼着して使用されるテーピング用具の使用形態を店頭などで展示する商品展示具において、
１枚のシート体を折り曲げて形成される展示具本体を備え、上記展示具本体は、体の関節を模倣した関節部と、上記関節部の両端に連結され、円筒状に形成された一対の肢部とを有し、上記各肢部が上記関節部を介して連結されており、上記関節部から上記肢部に沿って上記テーピング用具が貼着されることを特徴とする商品展示具。
【請求項２】
上記肢部を補強するための補強部材が上記肢部の内に設けられていることを特徴とする請求項１に記載の商品展示具。
【請求項３】
上記肢部の形状を維持するための形状維持部材が、上記肢部の内周面に沿って取り付けられていることを特徴とする請求項１または２に記載の商品展示具。
【請求項４】
上記関節部には、上記関節部を補強する補強リブが一体的に設けらていることを特徴とする請求項１，２または３に記載の商品展示具。
【請求項５】
上記補強リブは、上記補強部材の抜け落ちを防止するストッパであることを特徴とする請求項４に記載の商品展示具。
【発明の詳細な説明】
【技術分野】
【０００１】
本発明は、店頭などにおいてテーピングテープなどの使用形態を展示するための商品展示具に関し、さらに詳しく言えば、組立および解体が簡単に行え、商品の取付も実際の取付部位と同じ方法で行うことができる商品展示具に関する。
【背景技術】
【０００２】
最近では、ゴルフやテニスなどの運動時に、筋肉に急激な負荷が加わるのを予防するため、伸縮性を有する粘着テープを皮膚の上から筋肉に沿って貼り付けて筋肉への負担を軽減する、いわゆる機能性テーピングテープがある。
【０００３】
この機能性テーピングテープは、適正位置に貼り付けないと、十分な効果が得られないため、販売者は貼付手順を記載した手引き書やイラストを商品とともに添付している。しかしながら、手引き書やイラストを一見したただけでは、その使用形態は分かり難かった。
【発明の開示】
【発明が解決しようとする課題】
【０００４】
そこで、本発明は上述した課題を解決するため、テーピングテープの使用形態を店頭で簡単に展示することができ、組立および分解が簡単な商品展示具を提供することを目的としている。
【課題を解決するための手段】
【０００５】
上述した課題を解決するため本発明は以下に示すいくつかの特徴を備えている。請求項１に記載の発明は、身体の一部に貼着して使用されるテーピング用具の使用形態を店頭などで展示する商品展示具において、１枚のシート体を折り曲げて形成される展示具本体を備え、上記展示具本体は、体の関節を模倣した関節部と、上記関節部の両端に連結され、円筒状に形成された一対の肢部とを有し、上記各肢部が上記関節部を介して連結されており、上記関節部から上記肢部に沿って上記テーピング用具が貼着されることを特徴としている。
【０００６】
請求項２に記載の発明は、上記請求項１において、上記肢部を補強するための補強部材が上記肢部の内に設けられていることを特徴としている。
【０００７】
請求項３に記載の発明は、上記請求項１または２において、上記肢部の形状を維持するための形状維持部材が、上記肢部の内周面に沿って取り付けられていることを特徴としている。
【０００８】
請求項４に記載の発明は、上記請求項１，２または３において、上記関節部には、上記関節部を補強する補強リブが一体的に設けらていることを特徴としている。
【０００９】
請求項５に記載の発明は、上記請求項４において、上記補強リブは、上記補強部材の抜け落ちを防止するストッパであることを特徴としている。
【発明の効果】
【００１０】
請求項１に記載の発明によれば、腕や脚などを模倣した一対の肢部を関節部で連結した展示具本体にテーピングテープを貼り付けることにより、店頭などで使用形態を簡単に展示することができる。
【００１１】
請求項２〜４に記載の発明によれば、肢部を補強する補強手段として補強部材や形状維持部材を備えていることにより、伸縮性のあるテーピングテープを巻き付けても、展示具本体が型くずれしない。
【００１２】
請求項５に記載の発明によれば、補強リブが補強部材の抜け落ち止めを担うことで、補強部材を確実に肢部内に留めておくことができる。
【発明を実施するための最良の形態】
【００１３】
次に、本発明の商品展示具について、図面を参照しながら説明する図１は本発明の一実施形態に係る商品展示具の組立前の展開図である。この商品展示具１は、１枚のシート体の打抜加工したものからなる展示具本体２と、同展示具本体２を補強する補強部材３と、展示具本体２の形状を維持するための蓋部材（形状維持部材）４とを備えている。
【００１４】
この例において、展示具本体２，補強部材３および形状維持部材４は同じボール紙などの紙製シートから構成されているが、これ以外に合成樹脂シートなどであってもよく、折り畳み可能な材質であれば、仕様に応じて任意に変更可能である。
【００１５】
展示具本体２は、人体の腕や脚などを模倣する一対の肢部１０，１０と、人体の関節を模倣する関節部２０とを一体に備えている。肢部１０，１０は、関節部２０を挟んで上下対称に配置された同一形状であり、以下の説明においては一方のみを説明し、他方についての説明は省略する。
【００１６】
肢部１０は、幅方向（図１では左右方向）に沿って延びた矩形状に形成されており、長さ方向（図１では上下方向）の両端面１０ａは、円筒状に形成した際、端面形状が丸くなるように水平面とされている。各肢部１０は、各肢部１０，１０をくの字に折り曲げ可能（図３参照）とするため、所定の空隙をもって対向配置されており、その対向面１０ｂは折り曲げ時に各肢部１０，１０同士が干渉しないように傾斜されている。
【００１７】
肢部１０の幅方向（図１では左右方向）の両端には、肢部１０を円筒状に折り曲げた状態で固定するための糊しろ１１，１１がそれぞれ設けられている。糊しろ１１，１１のいずれか一方には、いずれか他方に対しての固定手段としての両面粘着テープ（図示しない）が貼り付けられている。
【００１８】
肢部１０には、円筒状に折り曲げる際に綺麗に円筒状に折り曲げるためのガイド線１２が幅方向に所定の間隔をもって、多数形成されている。この例では左右対称に１２箇所ずつ、合計２４箇所設けられている。
【００１９】
各ガイド線１２は直線状の折り線からなり、そのうち中央２箇所のガイド線１２ａは、例えば図３に示すように、各肢部１０を関節部２０に対して傾斜した状態で固定した際、肢部１０を円筒状にしておくため、所定角度傾斜した状態に形成されている。ガイド線１２ａの傾斜角は、図３に示す円筒状の肢部１０の幅および長さに応じて決定される。
【００２０】
関節部２０は、各肢部１０，１０の中央に一体的に連結されており、軸方向（図１では上下方向）に沿って形成されている。関節部２０の両端（図１では左右）には、折り線２１を介して屈曲可能な台形状の補強リブ２２，２２が含まれている。
【００２１】
補強部材３，３は、１枚の矩形シート体からなり、例えば折り線３１〜３３を介して３角形状に折り畳まれた状態で各肢部１０の内周面に沿って差し込まれている。補強部材３の一端側（図１では右端部）には、補強部材３を三角形状に折り畳んだ状態で固定するための固定片３４が突設されている。補強部材３の他端側（図１の左端側）には、固定片３４が差し込まれる固定孔３５が、折り線３１に沿って形成されている。
【００２２】
この例において、補強部材３，３は３つの折り線３１〜３３を介して三角形状に折り畳まれるが、各肢部１０の内周面に沿って挿通可能な形状で、肢部１０を補強可能であれば、例えば四角形状などであってもよい。
【００２３】
蓋部材４は、図１に示すように、肢部１０の内周面に沿って嵌合される円盤体からなり、外径は、肢部１０の内周面の内接円とほぼ同じに形成されている。この例において、蓋部材４は、中央に着脱時に指を入れるための差込孔４１が設けられているが、差込孔４１は任意である。
【００２４】
次に、図２および図３を参照して、この商品展示具１の組立手順の一例について説明する。まず、図１に示す展開状態にある展示具本体２の肢部１０を各ガイド線１２に沿って折り曲げ、円筒状になるように折り癖を付ける。
【００２５】
次に、折り癖がついた状態の肢部１０の両端を互いに重ね合わせたのち、図示しない両面粘着テープを介して糊しろ１１，１１同士を貼り付けることで、各肢部１０が、図２に示すように円筒状に形成される。この状態で、関節部２０の各補強リブ２２，２２を折り線２１，２１に沿って内側（肢部１０の内周面側）に折り曲げておく。
【００２６】
次に、肢部１０に補強部材３を挿入するが、補強部材３はあらかじめ組み立てられていることが好ましい。すなわち、補強部材３は、各折り線３１〜３３に沿って折り曲げたのち、先端の固定片３４を固定孔３５に挿入して、図示しない粘着テープなどで抜け落ちないように固定することで、三角形状に形成される。
【００２７】
このようにして組み立てられた補強部材３は、肢部１０の開口部から内周面に沿って挿入され、図３に示すように、補強部材３の一端が補強リブ２２の端縁に当接して止まる。次に、肢部１０の開口部から蓋部材４を補強部材３の他端に当接するまで挿入することにより、肢部１０が円筒状に形成される。
【００２８】
同様の方法で他方の肢部１０に補強部材３と蓋部材４を取り付けたのち、各肢部１０，１０同士の反関節部２０側をくの字状に折り曲げることで、人体の膝もしくは肘を模した商品展示具１が完成する。
【００２９】
次に、この商品展示具１に装着されるテーピングテープ５の構成を説明する。図４に示すように、このテーピングテープ５は、伸縮性を有する布製基材からなり、一方の面（図４では紙面手前側）には、皮膚などに貼着するための粘着面５１が形成されている。
【００３０】
テーピングテープ５は、２本の伸縮性粘着テープを上下平行に配置して、その中央に配置された膝部の裏にあてがわれる保護パッド５３を有し、保護パッド５３を挟んで左右両端に固定テープ５２ａ〜５２ｄが設けられている。なお、固定テープ５２ａ〜５２ｄには、それぞれ粘着面５１を保護する図示しない剥離シートが設けられている。保護パッド５３は、膝裏の皮膚を保護する未粘着の布製パッドである。
【００３１】
このテーピングテープ５を商品展示具１に装着するに当たっては、まず、保護パッド５３を露出させた状態で商品展示具１の膝裏（関節部２０の裏側）に当てがう。次に、固定テープ５２ａの剥離シートを剥がし、関節部２０と上側の肢部１０との付け根に沿って貼り付ける。
【００３２】
同様に、固定テープ５２ｃの剥離シートを剥がして、関節部２０と下側の肢部１０との付け根に沿って固定テープ５２ｃを貼り付ける。次に、固定テープ５２ｂの剥離シートを剥がして、固定テープ５２ａの上に重なるように貼り付け、最後に、固定テープ５２ｄを固定テープ５２ｃの上に重なるように貼り付けることにより、図５に示すような状態となる。
【００３３】
これによれば、関節部（膝部）を挟んで上下に固定テープ５２ａ〜５２ｄがそれぞれ貼り付けられることにより、膝部に係る負荷を低減するようなテーピングテープ５の張り方を商品展示具１を使って展示することができる。
【００３４】
この例において、テーピングテープ５は、脚の膝に対して適用するタイプのものを例にとって説明したが、本発明の商品展示具１は中央の関節部を挟んで肢部１０，１０を備える構造であるため、膝関節以外に腕の関節部（肘関節）や指関節、足首などを模倣して、その周辺に対するテーピングとその方法を展示する場合にも適用可能である。
【図面の簡単な説明】
【００３５】
【図１】本発明の一実施形態に係る商品展示具の分解展開図。
【図２】商品展示具の組立手順を説明する説明図。
【図３】商品展示具の組立手順を説明する説明図。
【図４】商品展示具にテーピングテープを施す方法を説明する説明図。
【図５】商品展示具にテーピングテープを施した状態の斜視図。
【符号の説明】
【００３６】
１  商品展示具
２  展示具本体
３  補強部材
４  蓋部材（形状維持部材）
５  テーピングテープ
１０  肢部
２０  関節部
２２  補強リブ
【図１】
2008012208.tif 000003
【図２】
2008012208.tif 000004
【図３】
2008012208.tif 000005
【図４】
2008012208.tif 000006
【図５】
2008012208.tif 000007